(57)【要約】【課題】１日先のみならず、何日も先のタイマ予約を行う場合においても、日付の入力ミスを防止することができるタイマ予約装置を提供する。【解決手段】タイマ予約を行う際に、時として２４以上の数字を入力することを可能としている。例えば、ＤＶＤレコーダにおける録画予約において、録画開始時の日付を１２月１６日（木）、録画開始時刻を２５：００、録画終了時刻を２７：００と入力すると、１２月１７日（金）の早朝１時から早朝３時までの録画予約を行うことができる。【選択図】図５
2007232612.tif 000002
【特許請求の範囲】
【請求項１】
タイマ予約装置と、
前記タイマ予約装置によって予約された時刻に、記録媒体に対する情報の記録を行うタイマ記録手段とを備えた情報記録装置において、
前記タイマ予約装置は、
予約時刻を入力するための予約時刻入力手段と、
前記予約時刻入力手段によって入力された予約時刻にタイマ予約を設定するタイマ予約設定手段とを備え、
前記予約時刻の時として入力可能な数字の上限ｘは、２４以上の整数であり、
該タイマ予約装置は、前記ｘを入力する上限入力手段をさらに備えていることを特徴とする情報記録装置。
【請求項２】
予約時刻を入力するための予約時刻入力手段と、
前記予約時刻入力手段によって入力された予約時刻にタイマ予約を設定するタイマ予約設定手段とを備えたタイマ予約装置において、
前記予約時刻の時として入力可能な数字の上限ｘは、２４以上の整数であることを特徴とするタイマ予約装置。
【請求項３】
午前、午後の情報を含む予約時刻を入力するための予約時刻入力手段と、
前記予約時刻入力手段によって入力された予約時刻にタイマ予約を設定するタイマ予約設定手段とを備えたタイマ予約装置において、
前記予約時刻の時として入力可能な数字の上限ｘは、１２以上の整数であることを特徴とするタイマ予約装置。
【請求項４】
前記ｘを入力する上限入力手段を備えたことを特徴とする請求項２又は３に記載のタイマ予約装置。
【請求項５】
請求項２から４いずれか１項に記載のタイマ予約装置によって予約された時刻に、記録媒体に対する情報の記録を行うタイマ記録手段を備えたことを特徴とする情報記録装置。
【発明の詳細な説明】
【技術分野】
【０００１】
本発明は、タイマ予約装置及び情報記録装置に関する。
【背景技術】
【０００２】
ビデオカセットレコーダにおける録画予約機能に代表されるように、ユーザーの指定日時の入力に基づいて、各種動作を指定日時に実行させるタイマ予約機能を備えた家電製品は一般に広く普及している。
【０００３】
このようなタイマ予約機能を備えた家電製品においては、翌日の早朝（朝２時など）に各種動作を実行させる旨のタイマ予約を行う場合に、ユーザーが誤って予約設定を行っている当日の日付を入力してしまい、所望のタイマ機能を実現することができないという状況が頻発した。
【０００４】
特許文献１に記載の発明は、このような状況に対処するためのものであり、予約設定手段によって予約設定された日時と現在の日時とを比較する日時比較手段と、予約設定された日付が現在の日付と同一であり、予約設定された時刻が現在の時刻よりも早いものと判定されると、予約設定された日付を翌日に変更する予約設定変更手段とを備えたタイマ予約装置に関するものである。
【０００５】
特許文献１に記載の発明によると、翌日に各種動作を実行させる旨のタイマ予約を行おうとして、誤って当日に予約設定をしてしまった場合においても、所望のタイマ機能を実現させることの可能なタイマ予約装置が提供される。
【特許文献１】特開２００１−２２１８７６号公報
【発明の開示】
【発明が解決しようとする課題】
【０００６】
特許文献１に記載のタイマ予約装置においては、翌日に各種動作を実行させる旨のタイマ予約を行おうとして、誤って当日に予約設定をしてしまった場合においてのみ、ユーザーの設定ミスを防ぐことができる。しかしながら、ビデオカセットレコーダにおける録画予約機能に代表されるように、各種家電製品におけるタイマ予約機能においては、予約設定は何日も先まで行うことができるのが一般的である。
【０００７】
そして、新聞やテレビ情報誌、インターネットなどのテレビ番組表においては、ある日の早朝の番組は、その前日のテレビ番組表に掲載されているのが普通である。そのため、例えば、３日後の早朝の番組の録画予約を行おうとして、ユーザーが誤って２日後の日付を入力してしまうというようなミスが起きる可能性が非常に高い。特許文献１に記載のタイマ予約装置は、このようなミスには対処できず、ユーザーのミスを防止するタイマ予約装置としては十分でない。
【０００８】
上記の問題点を鑑み、本発明においては、１日先のみならず、何日も先のタイマ予約を行う場合においても、日付の入力ミスを防止することができるタイマ予約装置を提供することを目的とする。また、本発明の他の目的は、そのようなタイマ予約装置を用いた録画予約が可能な情報記録装置を提供することである。
【課題を解決するための手段】
【０００９】
本発明においては、情報記録装置は、タイマ予約装置と、前記タイマ予約装置によって予約された時刻に、記録媒体に対する情報の記録を行うタイマ記録手段とを備えた情報記録装置において、前記タイマ予約装置は、予約時刻を入力するための予約時刻入力手段と、前記予約時刻入力手段によって入力された予約時刻にタイマ予約を設定するタイマ予約設定手段とを備え、前記予約時刻の時として入力可能な数字の上限ｘは、２４以上の整数であり、該タイマ予約装置は、前記ｘを入力する上限入力手段をさらに備えていることを特徴とする。
【００１０】
これによると、１日先のみならず、何日も先の録画予約を行う場合においても、日付の入力ミスを防止することができる情報記録装置が提供される。
【００１１】
本発明においては、タイマ予約装置は、予約時刻を入力するための予約時刻入力手段と、前記予約時刻入力手段によって入力された予約時刻にタイマ予約を設定するタイマ予約設定手段とを備えたタイマ予約装置において、前記予約時刻の時として入力可能な数字の上限ｘは、２４以上の整数であることを特徴とする。
【００１２】
これによると、予約時刻入力手段によって予約時刻が入力されると、タイマ予約設定手段は、その予約時刻にタイマ予約を設定する。このとき、予約時刻の時として入力可能な数字の上限ｘは２４以上の整数であるので、例えば「３日後の早朝２時」にタイマ予約を設定する場合でも、「２日後の２６時」というようなタイマ予約の設定の仕方が可能となる。
【００１３】
例えば、テレビ番組の番組表においては、ある日の早朝の番組はその前日の番組表の末尾に掲載されている場合が多い。したがって、テレビ番組の番組表に基づいてユーザーが日時を手動で入力してタイマ予約を行う場合、前日の番組表に基づく設定ミス（上記の例では、「２日後の早朝２時」というような設定ミス）が起こる可能性が高い。
【００１４】
しかし、上記構成では、予約時刻の時として２４以上の整数が入力可能であるので、日付として前日の日付を入力しても、２４以上の整数を用いた時の指定を行えば、次の日の早朝にタイマ予約を設定することが可能となる。これにより、現在から１日先のみならず、何日も先の日のタイマ予約を行う場合でも、日付の入力ミスを防止することができるタイマ予約装置が提供される。
【００１５】
本発明においては、タイマ予約装置は、午前、午後の情報を含む予約時刻を入力するための予約時刻入力手段と、前記予約時刻入力手段によって入力された予約時刻にタイマ予約を設定するタイマ予約設定手段とを備えたタイマ予約装置において、前記予約時刻の時として入力可能な数字の上限ｘは、１２以上の整数であることを特徴とする。
【００１６】
これによると、予約時刻入力手段によって午前、午後の情報を含む予約時刻が入力されると、タイマ予約設定手段は、その予約時刻にタイマ予約を設定する。このとき、予約時刻の時として入力可能な数字の上限ｘは１２以上の整数であるので、例えば「３日後の午前２時」にタイマ予約を設定する場合でも、「２日後の午後１４時」というようなタイマ予約の設定の仕方が可能となる。つまり、日付として前日の日付を入力しても、１２以上の整数を用いた時の指定を行えば、次の日の早朝にタイマ予約を設定することが可能となる。これにより、現在から１日先のみならず、何日も先の日のタイマ予約を行う場合でも、日付の入力ミスを防止することができるタイマ予約装置が提供される。
【００１７】
本発明においては、上記構成のタイマ予約装置において、前記ｘを入力する上限入力手段を備えたこととしてもよい。
【００１８】
これによると、予約時刻の時として入力可能な数字の上限ｘが２４以上の整数であるタイマ予約装置、あるいは、午前、午後の情報を含む予約時刻の時として入力可能な数字の上限ｘが１２以上の整数であるタイマ予約装置において、ｘをユーザーが設定できる。したがって、日付の入力ミスを防止でき、ユーザーの自由度が大きいタイマ予約装置となる。
【００１９】
本発明においては、情報記録装置は、上記構成のタイマ予約装置によって予約された時刻に、記録媒体に対する情報の記録を行うタイマ記録手段を備えたことを特徴とする。
【００２０】
これによると、上記構成のタイマ予約装置を用いて録画予約を行うことができる情報記録装置となる。したがって、１日先のみならず、何日も先の録画予約を行う場合においても、日付の入力ミスを防止することができる情報記録装置となる。
【発明の効果】
【００２１】
本発明によると、１日先のみならず、何日も先のタイマ予約を行う場合においても、日付の入力ミスを防止することができるタイマ予約装置が提供される。また、本発明によると、そのようなタイマ予約装置を用いた録画予約が可能な情報記録装置が提供される。
【発明を実施するための最良の形態】
【００２２】
本発明の実施形態について、図面を用いて説明すれば以下の通りである。
【００２３】
以下、ＤＶＤレコーダを例に説明する。図１は、本発明の実施形態に係るＤＶＤレコーダ１（情報記録装置）の構成を示すブロック図である。なお、図１は、本発明に必要な構成のみを示し、説明が不要なその他の構成は省略してある。ＤＶＤレコーダ１は、チューナー２と、ＭＰＥＧエンコーダ３と、ＤＶＤドライブ４と、ＭＰＥＧデコーダ５と、ＯＳＤ部６と、受光部７と、予約メモリ８と、ＣＰＵ９（タイマ予約設定手段）と、リモコン１０（予約時刻入力手段、上限入力手段）とを備えている。
【００２４】
なお、リモコン１０は、ＤＶＤレコーダ本体と独立して持ち運び可能である。そして、チューナー２にはアンテナ２０が接続され、ＯＳＤ部６にはテレビジョン装置３０が接続されている。また、ＤＶＤドライブ４には記録再生が行われる記録媒体として、ＤＶＤ４０（記録媒体）が載置されている。
【００２５】
本実施形態に係るＤＶＤレコーダ１を用いて、放送情報をＤＶＤ４０に記録する時の処理の流れは以下の通りである。まず、チューナー２によって、アンテナ２０より受信された放送信号から、所望のチャンネルの放送信号が選出される。次に、ＭＰＥＧエンコーダ３によってエンコード（圧縮）がなされ、ＤＶＤドライブ４によってＤＶＤ４０への記録が行われる。
【００２６】
また、本実施形態に係るＤＶＤレコーダ１を用いて、ＤＶＤ４０に記録された情報を再生する時の処理の流れは以下の通りである。まず、ＤＶＤドライブ４によって、ＤＶＤ４０に記録されたディジタル記録信号が読み取られ、このディジタル記録信号がＭＰＥＧデコーダ５に送出される。次に、ＭＰＥＧデコーダ５によって、ディジタル記録信号のデコード（伸長）がなされ、得られた出力信号がＯＳＤ部６を介してテレビジョン装置３０に送出される。そして、テレビジョン装置３０によって映像、音声などが出力される。
【００２７】
受光部７は、リモコン１０に備えられた複数の入力キーの入力によって行われる各種指令に対応した、リモコン１０からの赤外線信号を受光し、これを電気信号に変換してＣＰＵ９に伝達する。
【００２８】
予約メモリ８は、その時点で設定されている録画予約に関する情報を格納するメモリである。
【００２９】
ＣＰＵ９は、チューナー２と、ＭＰＥＧエンコーダ３と、ＤＶＤドライブ４と、ＭＰＥＧデコーダ５と、ＯＳＤ部６と、受光部７と、予約メモリ８とに接続され、これらに対して制御指示信号を出力することで、各種動作を実行させている。
【００３０】
次に、本実施形態に係るＤＶＤレコーダ１によって、録画予約による録画が行われる際の動作について説明する。ＣＰＵ９は、予約メモリ８に記憶されている録画予約に関する情報を監視し、録画開始時刻になると、チューナー２に、録画を行うチャンネルの放送信号を選出させる。そして、その放送信号が、ＭＰＥＧエンコーダ３によってエンコード（圧縮）され、得られた記録信号が、ＤＶＤドライブ４によって、ＤＶＤ４０へ記録される。そして、録画終了時刻になると、ＣＰＵ９は、これらの動作を停止させる。
【００３１】
つまり、ＤＶＤドライブ４と、予約メモリ８と、ＣＰＵ９とによって、後述するタイマ予約装置によって予約された時刻にＤＶＤ４０に情報を記録するタイマ記録手段が構成されることとなる。
【００３２】
次に、本実施形態に係るＤＶＤレコーダ１を用いて録画予約の設定を行う際の動作について説明する。リモコン１０に備えられている録画予約ボタン（不図示）が押下されると、リモコン１０から、録画予約ボタンに対応した赤外線信号が受光部７に送られる。受光部７は、その赤外線信号を受信すると、その赤外線信号を電気信号に変換して、ＣＰＵ９に伝達する。
【００３３】
すると、ＣＰＵ９は、ＯＳＤ部６に、録画予約の設定画面を表示する旨の指令を行う。そして、ＯＳＤ部６は、録画予約の設定画面に関するＯＳＤ信号を作成し、テレビジョン装置３０に録画予約の設定画面を表示させる。このとき、テレビジョン装置３０の画面には、図２に示すような録画予約の設定画面が表示される。
【００３４】
そして、この画面上において、ユーザーは、リモコン１０の操作を行い、録画開始時の日付、録画開始時刻、録画終了時刻、チャンネル、及び画質を入力することで録画予約を行う。そして、それらの入力によって、先に作成されているＯＳＤ信号が逐次更新され、その結果、テレビジョン装置３０の表示画面が逐次更新される。また、録画予約が完了すると、ＣＰＵ９の指令によって、その録画予約の録画開始時の日付、録画開始時刻、録画終了時刻、チャンネル、及び画質に関する情報が、予約メモリ８に記憶される。
【００３５】
つまり、受光部７と、予約メモリ８と、ＣＰＵ９と、リモコン１０とによって、タイマ予約を行うタイマ予約装置が構成されることとなる。
【００３６】
図３は、録画予約の設定画面において、録画開始時の日付、録画開始時刻、録画終了時刻、チャンネル、及び画質が入力された例を示す説明図である。図３においては、録画開始時の日付は１２月１７日（金）、録画開始時刻は０１：００、録画終了時刻は０３：００、チャンネルは２ＣＨ、画質はＳＰモードがそれぞれ入力されている。つまり、図３は、１２月１７日（金）の早朝１時から早朝３時まで録画予約を行う場合の例である。
【００３７】
ところで、ユーザーは、図３に示すように、１２月１７日（金）の早朝１時から早朝３時まで録画予約を行おうとする場合、誤って図４に示すように、日付を１２月１６日（木）としてしまうことがよくある。これは、新聞やテレビ情報誌、インターネットなどのテレビ番組表において、１２月１７日（金）の早朝１時から早朝３時までのテレビ番組は、１２月１６日（木）のテレビ番組表に掲載されているのが普通であることなどが原因である。
【００３８】
そこで、本実施形態に係るＤＶＤレコーダ１においては、録画開始時刻及び録画終了時刻の時として、２４以上の数字を入力可能としている。つまり、本実施形態に係るＤＶＤレコーダ１においては、図５に示すように、録画予約の設定画面において、録画開始時の日付を１２月１６日（木）、録画開始時刻を２５：００、録画終了時刻を２７：００と入力することによっても、１２月１７日（金）の早朝１時から早朝３時まで録画予約を行うことができる。
【００３９】
このような構成とすることで、早朝の番組を録画予約する際に起こりやすい、日付を間違えて入力するというミスを防止することができる。なお、ここで、録画開始時刻及び録画終了時刻の時として入力可能な数字の上限は、ユーザーがリモコン１０によって設定できることとしてもよいし、予め決められた値があっても構わない。
【００４０】
また、一般的なＤＶＤレコーダにおいては、録画開始時刻及び録画終了時刻は、リモコン１０に備えられた数字キーを用いて直接数字を入力することによって設定することもできるし、リモコン１０に備えられた数字増減キー（＋と−など、キーは機種によって異なる）を用いて数字を所定の数ずつ増減させることによって設定することもできる。
【００４１】
録画開始時刻及び録画終了時刻の時を、リモコン１０に備えられた数字増減キーを用いて設定する場合、一般のＤＶＤレコーダにおいては、数字の送り順は図６（ａ）に示すようになるが、本実施形態に係るＤＶＤレコーダ１においては、数字の送り順は図６（ｂ）に示す通りになる。なお、この例は、録画開始時刻及び録画終了時刻の時として、２７までの入力が可能な場合である。
【００４２】
なお、録画開始時刻及び録画終了時刻の時として入力可能な数字の上限は、２７から３０程度であることが一般的であると考えられる。何故なら、新聞やテレビ情報誌、インターネットなどにおいては、ある日の番組表において、次の日の早朝の３時から６時程度の番組まで記載されているのが一般的であるからである。しかしながら、３０以上の数字が入力可能な構成としてももちろんよい。
【００４３】
以上の実施形態においては、録画予約における録画開始時刻及び録画終了時刻の入力時に、午前、午後の入力は行わない構成としたが、これらを入力する構成とすることもできる。この場合、午前、午後の両方、あるいは片方について、時として１２以上の数字の入力が可能な構成とする。
【００４４】
つまり、この場合、図７に示すように、録画予約の設定画面において、録画開始時の日付を１２月１６日（木）、録画開始時刻を午後１３：００、録画終了時刻を午後１５：００と入力することによっても、１２月１７日（金）の早朝１時から早朝３時まで録画予約を行うことができることとなる。
【００４５】
このような構成とすることで、録画予約における録画開始時刻及び録画終了時刻の入力時に、午前、午後の入力を行う場合にも、早朝の番組を録画予約する際に起こりやすい、日付を間違えて入力するというミスを防止することができる。なお、ここで、録画開始時刻及び録画終了時刻の時として入力可能な数字の上限は、ユーザーがリモコン１０によって設定できることとしてもよいし、予め決められた値があっても構わない。
【００４６】
なお、午前、午後の入力を伴う場合に、録画開始時刻及び録画終了時刻の時として入力可能な数字の上限は、１５から１８程度であることが一般的であると考えられる。何故なら、新聞やテレビ情報誌、インターネットなどにおいては、ある日の番組表において、次の日の早朝の３時から６時程度の番組まで記載されているのが一般的であるからである。しかしながら、１８以上の数字が入力可能な構成としてももちろんよい。
【００４７】
なお、本発明は上記の実施の形態に限定されず、本発明の趣旨を逸脱しない範囲で、種々の変更が可能である。例えば、上記実施形態においては、ＤＶＤレコーダの録画予約について扱ったが、ハードディスクレコーダやビデオカセットレコーダなどの録画予約についても同様に適用できる。また、エアコンのタイマ予約（設定された時刻にエアコンを起動したりストップしたりする機能）など、録画予約以外の家電製品のタイマ予約についても同様に適用できる。
【産業上の利用可能性】
【００４８】
本発明は、タイマ予約装置及び情報記録装置として有効である。
【図面の簡単な説明】
【００４９】
【図１】本発明の実施形態に係るＤＶＤレコーダの構成を示すブロック図である。
【図２】リモコンに備えられた録画予約ボタンが押下操作されたときに、テレビジョン装置に最初に表示される画面を示す説明図である。
【図３】録画予約の設定画面において、録画開始時の日付、録画開始時刻、録画終了時刻、チャンネル、及び画質が入力された例を示す説明図である。
【図４】録画予約の設定画面において、録画開始時の日付を誤って入力してしまう例を示す説明図である。
【図５】録画予約の設定画面において、録画開始時刻及び録画終了時刻の時として２４以上の数字が入力された例を示す説明図である。
【図６】（ａ）は、一般のＤＶＤレコーダにおいて、数字増減キーを用いて録画開始時刻及び録画終了時刻を入力する場合の、時を入力するときの数字の送り順を示す説明図であり、（ｂ）は、本実施形態に係るＤＶＤレコーダにおいて、数字増減キーを用いて録画開始時刻及び録画終了時刻を入力する場合の、時を入力するときの数字の送り順を示す説明図である。
【図７】午前、午後の入力を伴う録画予約の設定画面において、録画開始時刻及び録画終了時刻の時として１２以上の数字が入力された例を示す説明図である。
【符号の説明】
【００５０】
１    ＤＶＤレコーダ（情報記録装置）
９    ＣＰＵ（タイマ予約設定手段）
１０    リモコン（予約時刻入力手段、上限入力手段）
４０    ＤＶＤ（記録媒体）
【図１】
2007232612.tif 000003
【図２】
2007232612.tif 000004
【図３】
2007232612.tif 000005
【図４】
2007232612.tif 000006
【図５】
2007232612.tif 000007
【図６】
2007232612.tif 000008
【図７】
2007232612.tif 000009